(57)【要約】【課題】操作部に手が不用意に触れたり器具が当たるのを防ぎ、操作部に薬液が落下して付着するのを防ぐことができるシリンジポンプを提供する。【解決手段】シリンジポンプ１は、シリンジ２００のシリンジ本体２０１を設定するシリンジ載置部６と、シリンジ載置部６に設定されたシリンジ本体２０１のシリンジ押子２０２の押子フランジ２０５を把持して押子フランジ２０５をシリンジ本体２０１側に押すシリンジ押子押圧部材１０とを備え、このシリンジ押子押圧部材１０は、シリンジ押子押圧部材１０を固定した状態からシリンジ本体２０１側に移動可能な状態にするための操作部７２０と、操作部７２０の上部を覆う保護壁部７６０を有する。【選択図】図８
2013135753.tif 000002
【特許請求の範囲】
【請求項１】
シリンジを装着して前記薬液を患者に送液するシリンジポンプであって、
前記シリンジのシリンジ本体を設定するシリンジ載置部と、
前記シリンジ載置部に設定された前記シリンジ本体のシリンジ押子の押子フランジを把持して前記押子フランジを前記シリンジ本体側に押すシリンジ押子押圧部材と
を備え、
前記シリンジ押子押圧部材は、
前記シリンジ押子押圧部材を固定した状態から前記シリンジ本体側に移動可能な状態にするための操作部と、
前記操作部の上部を覆う保護壁部と
を有することを特徴とするシリンジポンプ。
【請求項２】
前記保護壁部と前記操作部との間には、間隔が設けられていることを特徴とする請求項１に記載のシリンジポンプ。
【請求項３】
前記シリンジ押子押圧部材は、前記押子フランジが前記シリンジ押子押圧部材に当接したことを検出する押子フランジ検出部を有することを特徴とする請求項１または２に記載のシリンジポンプ。
【請求項４】
前記押子フランジ検出部は、前記押子フランジが前記シリンジ押子押圧部材に当接すると、前記シリンジ押子押圧部材の開口部を通じて移動する移動部材と、前記開口部から前記シリンジ押子押圧部材内に液体が侵入するのを阻止する液密部材とを有することを特徴とする請求項３に記載のシリンジポンプ。
【請求項５】
前記シリンジ載置部に設定された前記シリンジ本体の前記シリンジ押子を押して前記シリンジ本体内の前記薬液を押し出すシリンジ押子駆動部を備えることを特徴とする請求項１ないし４のいずれかに記載のシリンジポンプ。
【請求項６】
前記シリンジポンプの本体の上部分には、情報を表示する表示部と、操作ボタンを有する操作パネル部が配置され、前記シリンジポンプの本体の下部分には、前記シリンジ載置部と前記シリンジ押子駆動部が配置されていることを特徴とする請求項５に記載のシリンジポンプ。
【発明の詳細な説明】
【技術分野】
【０００１】
本発明は、シリンジを装着してこのシリンジ内の薬液を患者へ送液するためのシリンジポンプに関する。
【背景技術】
【０００２】
シリンジポンプは、例えば集中治療室（ＩＣＵ）等で使用されて、患者に対して抗がん剤、麻酔剤、化学療法剤、輸血等、栄養剤等の薬液の送液処置を、高い精度で比較的長時間行うことに用いられている。シリンジポンプの薬液の流量制御は、他の輸液ポンプに比較して精密で優れている。
すなわち、薬液を充填したシリンジ本体は、シリンジポンプに対してクランプ部材を用いてシリンジポンプの筐体に対して動かないようにセットされ、シリンジポンプは、シリンジ押子を押圧してシリンジ本体内の薬液を正確に患者側に送液するようになっている。
【０００３】
シリンジポンプを使用する治療室や手術室では、異なる収容量を有する複数種類のシリンジが予め用意されている。医療従事者は、これらのシリンジから必要とする収容量のシリンジを選択して、選択された収容量のシリンジを、上述したシリンジポンプに対して装着する。
シリンジがシリンジポンプに装着される場合には、シリンジ本体の外周面がシリンジポンプの凹部の内面に密着されるとともに、シリンジの本体フランジがシリンジポンプのはめ込み部分に対してはめ込まれることで、本体フランジが把持できる。そして、クランプ部材を操作してクランプ部材でシリンジ本体が固定され、モータを駆動することで、シリンジ押子押圧部材がシリンジ押子の押子フランジをシリンジ本体に向けて少しずつ押して、シリンジ本体内の薬液を、チューブを通じて患者に送液することができるようになっている(特許文献１を参照)。
【先行技術文献】
【特許文献】
【０００４】
【特許文献１】特開２０１０−８８５６４号公報
【発明の概要】
【発明が解決しようとする課題】
【０００５】
上述したシリンジポンプでは、医療従事者がシリンジの本体フランジをはめ込み、しかも押子フランジ側に向けてシリンジ押子押圧部材を手動で移動することで、シリンジ押子押圧部材に押子フランジを把持させる。このように、医療従事者がシリンジ押子押圧部材を手動で押子フランジ側に移動させる際には、医療従事者はシリンジ押子押圧部材の操作部を操作して、シリンジ押子押圧部材を固定した状態から移動できる状態にする必要がある。
【０００６】
ところで、シリンジポンプが治療室や手術室において使用されている時に、シリンジ押子押圧部材の操作部は外部に露出しているので、手がこの操作部に直接不用意に触れたり、器具が当たったり、あるいは使用している薬液や水分が操作部に直接落下して付着するおそれがある。このように、この操作部に直接不用意に手が触れたり器具が当たると、シリンジ押子押圧部材が誤って移動してしまうおそれがある。また、薬液が操作部に直接付着すると、薬液が操作部に固着してしまうおそれがあり、操作部の清掃が必要である。
そこで、本発明は、２．５ｍＬ〜５０ｍＬの薬液収容量のシリンジを使用でき、操作部に作業者の手が不用意に触れたり、器具が当たるのを防ぎ、操作部に薬液が落下して付着するのを防ぐことができるシリンジポンプを提供することを目的とする。
【課題を解決するための手段】
【０００７】
本発明のシリンジポンプは、シリンジを装着して前記薬液を患者に送液するシリンジポンプであって、前記シリンジのシリンジ本体を設定するシリンジ載置部と、前記シリンジ載置部に設定された前記シリンジ本体のシリンジ押子の押子フランジを把持して前記押子フランジを前記シリンジ本体側に押すシリンジ押子押圧部材とを備え、前記シリンジ押子押圧部材は、前記シリンジ押子押圧部材を固定した状態から前記シリンジ本体側に移動可能な状態にするための操作部と、前記操作部の上部を覆う保護壁部とを有することを特徴とする。
上記構成によれば、前記シリンジ押子押圧部材では、前記操作部の上部に保護壁部が設けられているので、保護壁部は、操作部に手が不用意に触れたり器具が当たるのを防ぎ、薬液が操作部に落下して付着するのを防ぐことができる。これにより、操作部に手が不用意に触れたり器具が当たるのを防ぎ、操作部に薬液が落下して付着するのを防ぐことができる。
【０００８】
好ましくは、前記保護壁部と前記操作部との間には、間隔が設けられていることを特徴とする。
上記構成によれば、保護壁部と操作部との間には間隔が設けられているので、操作部の使用空間を確保でき、医療従事者は、操作部をこの間隔を利用して容易に操作することができる。
【０００９】
好ましくは、前記シリンジ押子押圧部材は、前記押子フランジが前記シリンジ押子押圧部材に当接したことを検出する押子フランジ検出部を有することを特徴とする。
上記構成によれば、医療従事者がシリンジの本体フランジをシリンジ載置部に設定すれば、押子フランジ検出部は、押子フランジをシリンジ押子押圧部材に対して固定したことを検出できる。
【００１０】
好ましくは、前記押子フランジ検出部は、前記押子フランジが前記シリンジ押子押圧部材に当接すると、前記シリンジ押子押圧部材の開口部を通じて移動する移動部材と、前記開口部から前記シリンジ押子押圧部材内に液体が侵入するのを阻止する液密部材と、を有することを特徴とする。
上記構成によれば、液密部材がシリンジ押子押圧部材の開口部を通じて液体が侵入するのを阻止できるので、薬液が本体内の要素に対して固着するのを防ぐことができる。
【００１１】
好ましくは、前記シリンジ載置部に設定された前記シリンジ本体の前記シリンジ押子を押して前記シリンジ本体内の前記薬液を押し出すシリンジ押子駆動部を備えることを特徴とする。
上記構成によれば、クランプ部材により固定されたシリンジのシリンジ押子は、シリンジ押子駆動部により押すことで、シリンジ本体内の薬液を押し出すことができる。
【００１２】
好ましくは、前記シリンジポンプの本体の上部分には、情報を表示する表示部と、操作ボタンを有する操作パネル部が配置され、前記シリンジポンプの本体の下部分には、前記シリンジ載置部と前記シリンジ押子駆動部が配置されていることを特徴とする。
上記構成によれば、医療従事者は、本体の上部分の表示部の情報を確認しながら、シリンジからの薬液の送液作業を行うことができる。そして、医療従事者は、本体の上部分の表示部の情報を確認しながら、操作パネル部の操作ボタンを操作することができる。
【発明の効果】
【００１３】
本発明は、操作部に作業者の手が不用意に触れたり、器具が当たるのを防ぎ、操作部に薬液が落下して付着するのを防ぐことができるシリンジポンプを提供することができる。
【図面の簡単な説明】
【００１４】
【図１】本発明のシリンジポンプの実施形態を示す斜視図。
【図２】図１に示すシリンジポンプをＷ方向から見た斜視図。
【図３】複数種類の大きさのシリンジの例を示す斜視図。
【図４】シリンジポンプにおける電気な構成例を示す図。
【図５】図２に示すシリンジ載置部とシリンジ押子駆動部の一部分を示す斜視図。
【図６】図５に示すシリンジ載置部とシリンジ押子駆動部の一部分を、Ｅ方向から拡大した斜視図。
【図７】本体フランジが固定された状態を示す図。
【図８】図５に示す矢印ＧＨ方向から見たシリンジ押子押圧部材付近を示す斜視図。
【図９】図９（Ａ）から図９（Ｃ）は、シリンジ押子押圧部材を異なる方向から見た斜視図。
【図１０】シリンジ押子押圧部材の分解斜視図。
【図１１】シリンジ押子の押子フランジが、シリンジ押子押圧部材に固定されている状態を示す図。
【図１２】押子フランジ検出部の構造例とシリンジの押子フランジを示す図。
【発明を実施するための形態】
【００１５】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
図１は、本発明のシリンジポンプの実施形態を示す斜視図である。図２は、図１に示すシリンジポンプをＷ方向から見た斜視図である。
図１と図２に示すシリンジポンプ１は、２．５ｍＬ〜５０ｍＬの薬液収容量のシリンジを使用でき、例えば集中治療室等で使用され、患者に対して、抗がん剤、麻酔剤、化学療法剤、輸血等、栄養剤等の薬液の微量注入処置を、高い精度で比較的長時間行うことに用いられる薬液注入ポンプである。
【００１６】
図１と図２に示すように、シリンジポンプ１は、例えば薬液を充填したシリンジ２００のシリンジ本体（シリンジ外筒）２０１を、クランプ部材５を用いて動かないようにセットすることができる。図２に示すシリンジ押子駆動部７のモータ１３３が、図２では図示していない送りネジを回転することで、シリンジ押子駆動部７のシリンジ押子押圧部材１０は、シリンジ２００のシリンジ押子２０２をシリンジ本体２０１に対してＴ方向に押圧して、シリンジ本体２０１内の薬液を、図２に示すようにチューブ２０３と留置針２０４を介して、患者Ｐに対して正確に送液する。このシリンジ押子押圧部材１０は、スライダあるいはシリンジ押子押圧ユニットともいう。
図２に示すように、シリンジポンプ１は、筐体２を有し、この筐体２は耐薬品性を有する成型樹脂材料により一体成型されており、フロントカバー２Ｆとリアカバー２Ｒを接合して組み立てることにより、液密性能を有する箱体として構成されている。これにより、後で説明するように、仮に薬液や水分等がかかってもシリンジポンプ１の内部に侵入するのを防ぐことができる防沫および防滴（防水）処理構造を有している。筐体２は、シリンジポンプ１の本体である。
【００１７】
まず、シリンジポンプ１の筐体２に配置された各要素について説明する。
図１と図２に示すように、シリンジポンプ１は、筐体２と取手２Ｔを有している。筐体２の上部分２Ａには、表示部３と、操作パネル部４が配置されている。筐体２の下部分２Ｂには、シリンジ載置部６とシリンジ押子駆動部７が配置されている。これにより、医療従事者は、筐体２の上部分２Ａの表示部３にカラー表示される情報内容を目視で確認しながら、シリンジ２００からの薬液の送液作業を行うことができる。そして、医療従事者は、筐体２の表示部３にカラー表示される情報内容を確認しながら、操作パネル部４の操作ボタンを操作することができる。
【００１８】
図１と図２に示す表示部３は、カラーグラフィック表示することができるカラー液晶表示装置（ＬＣＤ）である。この表示部３は、筐体２の上部分２Ａの左上位置であって、シリンジ載置部６とシリンジ押子駆動部７の上側に配置されている。操作パネル部４は、筐体２の上部分２Ａにおいて表示部３の右側に配置され、操作パネル部４には、操作ボタンとしては、図示例では、パイロットランプ４Ａ、早送りスイッチボタン４Ｂ、開始スイッチボタン４Ｃ、停止スイッチボタン４Ｄ、メニュー選択ボタン４Ｅ等が配置されている。
【００１９】
図２に示す筐体２の上部分２Ａは、筐体２の上半分の部分である。筐体２の下部分２Ｂは、筐体２の下半分の部分である。
図１と図２に示す例では、シリンジ載置部６とシリンジ押子駆動部７は、Ｘ方向に沿って並べて配置されている。シリンジ載置部６は、複数種類の収容量の異なるシリンジの中から、例えばシリンジ２００を選択して着脱可能にはめ込んで装着することができる。
【００２０】
図１と図２に示すシリンジ載置部６は、収容部８と、本体フランジ押さえ部材５００と、本体フランジ検出部６００を有している。シリンジ載置部６の収容部８は、シリンジ本体２０１を収容する。このシリンジ載置部６の付近には、クランプ部材５と、シリンジ２００の本体フランジ２０９をはめ込んで把持するための本体フランジ押さえ部材５００が配置されている。収容部８は、凹型のシリンジ本体保持部８Ｄを有している。収容部８の左側の端部の壁部分には、チューブ２０３を着脱可能に挟み込むためのチューブ固定部９が形成されている。このチューブ固定部９は、図２に示すようにチューブ２０３の一部を挟み込んで固定する溝部分である。
【００２１】
図１と図２において、医療従事者が、クランプ部材５を操作してシリンジ２００をシリンジ載置部６から取り外す際には、例えばクランプ部材５を図示しないスプリングの力に抗してＹ１方向（手前方向）に引っ張って、しかもＲ１方向に９０度回すことで、クランプ部材５はシリンジ本体２０１の外周面から離れる。これにより、シリンジ本体２０１は、クランプ部材５による固定を解除して、収容部８のシリンジ本体保持部８Ｄから取り出すとともに、チューブ２０３はチューブ固定部９内から取り外すことができる。
また、このクランプ部材５を操作してシリンジ２００をシリンジ載置部６の収容部８に収容して取り付ける際には、クランプ部材５を図示しないスプリングの力に抗してＹ１方向に引っ張ってＲ２方向に９０度回して、スプリングの力によりＹ２方向に戻すことで、シリンジ本体２０１は、収容部８のシリンジ本体保持部８Ｄ内に収容するとともに、チューブ２０３をチューブ固定部９内にはめ込んだ状態で、クランプ部材５により固定することができる。
【００２２】
図１と図２に示すように、シリンジ本体２０１が収容部８のシリンジ本体保持部８Ｄ内に収容して装着されると、シリンジ押子２０２がシリンジ押子駆動部７内に配置される。このシリンジ押子駆動部７は、シリンジ押子押圧部材１０を有している。制御部からの指令によりモータ１３３が駆動すると、このシリンジ押子押圧部材１０は、シリンジ押子２０２の押子フランジ２０５を、シリンジ本体２０１に対して相対的にＴ方向に沿って少しずつ押す。これにより、シリンジ本体２０１内の薬液は、チューブ２０３と留置針２０４を通じて、患者Ｐに対して高い精度で比較的長時間かけて送液することができる。なお、図１と図２におけるＸ方向、Ｙ方向、Ｚ方向は互いに直交しており、Ｚ方向は上下方向である。
【００２３】
図３は、上述した複数種類の大きさのシリンジの例を示す斜視図である。
図１と図２では、最も薬液の収容量が大きいシリンジ２００が固定されている例を示している。図３（Ａ）に示す最も薬液の収容量が大きいシリンジ２００は、シリンジ本体２０１と、シリンジ押子２０２を有しており、シリンジ本体２０１は本体フランジ２０９を有し、シリンジ押子２０２は押子フランジ２０５を有している。シリンジ本体２０１には、薬液の目盛２１０が形成されている。シリンジ本体２０１の出口部２１１には、フレキシブルなチューブ２０３の一端部が着脱可能に接続される。
【００２４】
図３（Ｂ）に示す薬液の収容量が中くらいのシリンジ３００は、シリンジ本体（シリンジ外筒）３０１と、シリンジ押子３０２を有しており、シリンジ本体３０１は本体フランジ３０９を有し、シリンジ押子３０２は押子フランジ３０５を有している。シリンジ本体３０１には、薬液の目盛３１０が形成されている。シリンジ本体３０１の出口部３１１には、フレキシブルなチューブ２０３の一端部が着脱可能に接続される。
図３（Ｃ）に示す最も薬液の収容量が小さいシリンジ４００は、シリンジ本体（シリンジ外筒）４０１と、シリンジ押子４０２を有しており、シリンジ本体４０１は本体フランジ４０９を有し、シリンジ押子４０２は押子フランジ４０５を有している。シリンジ本体４０１には、薬液の目盛４１０が形成されている。シリンジ本体４０１の出口部４１１には、フレキシブルなチューブ２０３の一端部が着脱可能に接続される。
図３（Ａ）に示すシリンジ２００は、例えば薬液の収容量が１０ｍＬであり、図３（Ｂ）に示すシリンジ３００は、例えば薬液の収容量が５ｍＬであり、図３（Ｃ）に示すシリンジ４００は、例えば薬液の収容量が２．５ｍＬである。
【００２５】
図３に示すように、シリンジ２００，３００，４００の各シリンジ本体２０１，３０１，４０１は、それぞれ大きさが異なり、シリンジ本体の収容量が大きくなるにしたがって、本体フランジ２０９，３０９，４０９のサイズが大きくなっている。シリンジ３００，４００の各シリンジ本体３０１，４０１は、図１と図２に示すシリンジ２００と同様にして、収容部８のシリンジ本体保持部８Ｄ内に収容して固定することができる。しかし、図３では、３種類のシリンジを図示しているが、これに限らず、シリンジが収容できる薬液の収容量は、２．５ｍＬから５０ｍＬ、例えば２０ｍＬ、３０ｍＬ、５０ｍＬ等であっても良い。シリンジポンプ１に対して設定できるシリンジの収容量は、任意に選択できる。
【００２６】
次に、図４を参照して、図１と図２に示すシリンジポンプ１における電気な構成例を説明する。
図４において、シリンジポンプ１は、全体的な動作の制御を行う制御部（コンピュータ）１００を有している。この制御部１００は、例えばワンチップのマイクロコンピュータであり、ＲＯＭ（読み出し専用メモリ）１０１，ＲＡＭ（ランダムアクセスメモリ）１０２、不揮発性メモリ１０３、そしてクロック１０４を有する。クロック１０４は、所定の操作により現在時刻の修正ができ、現在時刻の取得や、所定の送液作業の経過時間の計測、送液の速度制御の基準時間の計測等ができる。
【００２７】
図４に示す制御部１００は、電源スイッチボタン４Ｓと、スイッチ１１１が接続されている。スイッチ１１１は、電源コンバータ部１１２と例えばリチウムイオン電池のような充電池１１３を切り換えることで、電源コンバータ部１１２と充電池１１３のいずれかから制御部１００に電源供給する。電源コンバータ部１１２は、コンセント１１４を介して商用交流電源１１５に接続されている。
図４において、収容部８内には、例えば一対の検出スイッチ１２０，１２１が配置されている。検出スイッチ１２０，１２１は、シリンジ２００のシリンジ本体２０１が、収容部８内に正しく配置されているかどうかを検知して、制御部１００に通知する。ただし、この検出スイッチ１２０，１２１の設定は省略することができる。
【００２８】
図４に示すクランプセンサとしてのポテンションメータ１２２は、クランプ部材５に連結されている。このポテンションメータ１２２は、シリンジ本体２０１（３０１，４０１）をクランプ部材５によりクランプした状態で、クランプ部材５がＹ２方向に関して移動する際のクランプ部材５の移動量を検出することで、どの収容量のシリンジ本体２０１（３０１，４０１）がクランプ部材５によりクランプされているかどうかを、制御部１００に検出信号を送って通知する。制御部１００は、このポテンションメータ１２２からの検出信号によりクランプ部材５のＹ方向に関する移動量を得て、例えば図３に示す複数種類のシリンジ本体２０１，３０１，４０１の内のどのシリンジが装着されているかを判別することができる。
図４に示すシリンジ押子駆動部７のモータ１３３は、制御部１００の指令によりモータドライバ１３４により駆動されると、送りネジ１３５を回転させてシリンジ押子押圧部材１０をＴ方向に移動させる。これにより、シリンジ押子押圧部材１０は、シリンジ押子２０２をＴ方向に押圧して、図２に示すシリンジ本体２０１内の薬液を、チューブ２０３を通じて患者Ｐに対して留置針２０４を介して正確に送液する。
【００２９】
図４において、表示部ドライバ１３０は、制御部１００の指令により表示部３を駆動して、各種情報や報知内容等を表示するようになっている。スピーカ１３１は、制御部１００の指令により各種の報知内容を音声により告知することができる。
制御部１００は、通信ポート１４０を通じて、例えばデスクトップコンピュータのようなコンピュータ１４１に対して双方向に通信可能である。このコンピュータ１４１は、薬液データベース（ＤＢ）１５０に接続されており、薬液データベース１５０に格納されている薬液情報ＭＦは、コンピュータ１４１を介して、制御部１００に取得して、制御部１００の不揮発性メモリ１０３に記憶させることができる。制御部１００は、記憶した薬液情報ＭＦを基にして、表示部３には薬液情報ＭＦ等を表示することができる。
図４において、早送りスイッチボタン４Ｂ、開始スイッチボタン４Ｃ、停止スイッチボタン４Ｄ、メニュー選択ボタン４Ｅは、制御部１００に電気的に接続されている。
この他に、制御部１００には、本体フランジ２０９が、本体フランジ押さえ部材５００（図５から図８を参照）により把持されたことを検出するための検出器としてのフォトカプラセンサ２５０が、電気的に接続されている。このフォトカプラセンサ２５０は、発光素子２５１と、この発光素子２５１からの光を受光する受光素子２５２を有している。
【００３０】
次に、図５と図６を参照して、シリンジ載置部６の詳しい構造を説明する。
図５は、図２に示すシリンジ載置部６とシリンジ押子駆動部７の一部分を示す斜視図である。図６は、図５に示すシリンジ載置部６とシリンジ押子駆動部７の一部分を、Ｅ方向から拡大した斜視図である。図７は、シリンジの本体フランジが本体フランジ押さえ部材の内面とシリンジ本体保持部の右側側面部との間にはめ込んで固定された状態例を示す。
図５に示すシリンジ載置部６は、シリンジ本体２０１を収容する収容部８と、クランプ部材５と、例えばシリンジ２００の本体フランジ２０９（図３を参照）をはめ込んで押さえて把持するための本体フランジ押さえ部材５００と、本体フランジ検出部６００を有している。
【００３１】
図１と図２に示すように、一例として、シリンジ２００のシリンジ本体２０１がシリンジ載置部６に設定され、シリンジ２００のシリンジ本体２０１が、クランプ部材５を用いて固定されている。図５と図６に示すように、シリンジ載置部６の収容部８は、シリンジ本体２０１の一部分もしくは全部を収容することができる凹部であり、収容部８の軸方向はＸ方向に沿っている。シリンジ本体２０１の外周面の一部分が収容部８のシリンジ本体保持部８Ｄの内面に対して密接され、シリンジ本体２０１の外周面の残り部分は、外側に露出されている。
図５と図６に示すように、本体フランジ押さえ部材５００と本体フランジ検出部６００は、本体フランジの把持検出部６５０を構成している。本体フランジの把持検出部６５０は、本体フランジ押さえ部材５００が一例としてシリンジ２００の本体フランジ２０９をはめ込んで把持したことを、確認するために設けられている。本体フランジ検出部６００は、図４に示すフォトカプラセンサ２５０を有している。
【００３２】
図５から図７を参照して、本体フランジ押さえ部材５００の構造例を説明する。
図５と図６に示す本体フランジ押さえ部材５００は、弾性変形可能な材料で形成されており、収容部８のシリンジ本体保持部８Ｄの右側側面部８Ｖに対してほぼ平行に配置されている。この本体フランジ押さえ部材５００は、ほぼＹ方向とＺ方向で形成される面に配置されている。
本体フランジ押さえ部材５００の先端部５０１は、２つの導入部５０２，５０３と、これらの導入部５０２，５０３の間に形成されている凹部５０４を有している。本体フランジ押さえ部材５００の内面側には、突起部分５９９が形成されている。
図６に示すように、これらの導入部５０２，５０３の内面は、好ましくは先細りになるように傾斜面になっている。これにより、医療従事者は、例えば図２に示すシリンジ２００の本体フランジ２０９を、図７に例示するようにして、２つの導入部５０２，５０３を用いて、本体フランジ押さえ部材５００の内面とシリンジ本体保持部８Ｄの右側側面部８Ｖとの間に、Ｙ２方向に沿って容易に挿入してはめ込んで固定できる。
図７において、本体フランジ押さえ部材５００の押圧力は、２．５ｍＬ，５ｍＬ，１０ｍＬ，２０ｍＬ，３０ｍＬ，５０ｍＬのいずれのシリンジを装着した場合においても１００ｍｍＨｇの陰圧で、シリンジ本体が動かないようにするのに十分な押圧力である。
【００３３】
次に、図５と図６に示す覆い部材としてのブーツ８００の形状例について説明する。
このブーツ８００は、図４に示す送りネジ１３５等の機械要素の周囲を覆っており、伸縮可能な部材である。図５に示すように、ブーツ８００は、収容部８のシリンジ本体保持部８Ｄの右側側面部８Ｖと、シリンジ押子押圧部材１０の当接面部８０の間に配置されている。ブーツ８００は、図４に示す送りネジ１３５等の機械要素を覆うために防沫構造になっている。これにより、例えばシリンジ本体２０１内の薬液がこぼれたり、上方に配置されている点滴液がこぼれ落ちたり、周辺で用いる消毒液等が飛散しても、送りネジ１３５等の機械要素に対して付着するのを防ぐことができる。
【００３４】
ブーツ８００は、伸縮可能な例えばゴムやプラスチックにより作られており、シリンジ押子押圧部材１０がＸ１方向とＸ２方向に移動するのに伴って、伸張と収縮ができる。図５に例示するように、ブーツ８００は、例えば複数の第１凸部分８１１，８１２，８１３，８１４等と、第１凸部分よりは直径の小さい複数の第２凸部分８２１と、左右の連結部分８３０を有している。これにより、シリンジ押子押圧部材１０が左側に移動されてブーツ８００が収縮されると、第２凸部分８２１がより直径の大きい第１凸部分の間に入り込むので、収縮した状態の長さを小さくできる。このため、同じ直径の凸部分を配列する場合に比べて、シリンジ押子押圧部材１０は、ブーツ８００に邪魔されずにより左側に移動することができ、シリンジ押子押圧部材１０のＴ（Ｘ２）方向への移動量を増加できる。
【００３５】
次に、図８と図５を参照して、シリンジ押子駆動部７のシリンジ押子押圧部材１０の構造例を説明する。図８は、図５に示す矢印ＧＨ方向から見たシリンジ押子押圧部材１０付近を示す斜視図である。図９（Ａ）から図９（Ｃ）は、シリンジ押子押圧部材１０を異なる方向から見た斜視図である。図１０は、シリンジ押子押圧部材１０の分解斜視図である。図１１は、シリンジ押子２０２の押子フランジ２０５が、シリンジ押子押圧部材１０に固定されている状態を示す図である。
図５に示すように、筐体延長部４８０が、筐体２の収容部８からＸ１方向（右方向）に突出して形成されている。図８に示すように、この筐体延長部４８０は、上面部４８１と、下面部４８２と、側面部４８３、そして背面部４８４を有しており、筐体延長部４８０の直方体状の空間内には、シリンジ押子駆動部７のシリンジ押子押圧部材１０やブーツ８００等が収容されている。
【００３６】
図８に示すシリンジ押子押圧部材１０の形状は、図９に示している。図９（Ａ）は、図８においてシリンジ押子押圧部材１０を矢印ＧＳ方向から見た斜視図であり、図９（Ｂ）は、図８においてシリンジ押子押圧部材１０を矢印ＧＴ方向から見た斜視図であり、そして図９（Ｃ）は、図８においてシリンジ押子押圧部材１０を矢印ＧＵ方向から見た斜視図である。
図９に示すシリンジ押子押圧部材１０は、プラスチックにより作られており、本体部７００と、操作部としての操作レバー７２０と、第１押子フランジ把持部材７１１と、第２押子フランジ把持部材７１２と、押子フランジ検出部７３０を有している。
図１０に示すように、本体部７００は、第１ケース部分７０１と、第２ケース部分７０２を有し、第１ケース部分７０１と第２ケース部分７０２は、シール部材７０３を介して複数のねじ７０４より接合されている。第１ケース部分７０１と第２ケース部分７０２の空間には、押子フランジ検出部７３０を含む必要な要素が収容されている。
【００３７】
図９（Ｂ）に示すように、第１ケース部分７０１は、当接面部８０と、隔壁部７４１と、凹部７４２を有している。第２ケース部分７０２は、隔壁部７５１と、凹部７５２と、操作レバー７２０の収容のための収容凹部７５３を有している。
第１ケース部分７０１の当接面部８０は、図１と図２に例示するように、シリンジ押子２０２の押子フランジ２０５が当接して位置決めするための部分である。図１１に示すように、当接面部８０に当接された押子フランジ２０５は、第１押子フランジ把持部材７１１と第２押子フランジ把持部材７１２と当接面部８０との間に着脱可能に挟んで固定できるようになっている。
このため、第１押子フランジ把持部材７１１と第２押子フランジ把持部材７１２は、図９（Ｃ）に示すように、本体部７００内の図示しない機構を用いて矢印ＯＰ方向に開閉可能である。
【００３８】
図９（Ｂ）に示すように、操作レバー７２０は、ほぼ断面Ｌ字型を有しており、第１ケース部分７０１の凹部７４２と第２ケース部分７０２の凹部７５２と収容凹部７５３にかけて収容されている。操作レバー７２０は、図９（Ａ）と図９（Ｂ）に示すように、医療従事者の指を置いて操作レバー７２０を矢印ＢＢ方向に押すための指置き部分７２０Ａを有している。間隔ＳＤは、操作レバー７２０を回転操作させるための空間であり、凹部７４２，７５２により形成されている。
医療従事者が図８と図９に示すように、指ＦＧで操作レバー７２０の指置き部分７２０Ａを矢印ＢＢ方向に押すと、操作レバー７２０は、間隔ＳＤにおいて回転中心ＣＳＰを中心として矢印ＢＢ方向に回転可能である。しかし、操作レバー７２０は指ＦＧによる押圧力を取ると図示しないスプリングの力によりＢＢ方向とは反対方向に復帰する。
【００３９】
このように、医療従事者が指ＦＧで操作レバー７２０を回転操作することで、医療従事者は、シリンジ押子押圧部材１０のＸ方向に関する位置が固定された状態を解除して（シリンジ押子押圧部材１０の移動を阻止している図示しない機構を解除して）、Ｔ（Ｘ２）方向あるいはＸ１方向に移動できる状態になる。従って、医療従事者は、シリンジ押子押圧部材１０を手でもってＴ（Ｘ２）方向あるいはＸ１方向に沿って、手動で移動できる。
これにより、図１１に示すように、医療従事者は、シリンジ押子押圧部材１０の当接面部８０を押子フランジ２０５に当接して、しかも当接面部８０に当接された押子フランジ２０５は、第１押子フランジ把持部材７１１と第２押子フランジ把持部材７１２により着脱可能に挟んで把持できる。
【００４０】
図８と図９（Ａ）に示すように、第１ケース部分７０１の隔壁部７４１と第２ケース部分７０２の隔壁部７５１は、連続するように接合されており、保護壁部７６０を構成している。図８に示すように、シリンジ押子押圧部材１０の一部は、筐体延長部４８０内に収容されているが、シリンジ押子押圧部材１０の保護壁部７６０と操作レバー７２０は、筐体延長部４８０の上面部４８１と下面部４８２からＹ１方向（前方）に突出している。このように、この保護壁部７６０と操作レバー７２０が、上面部４８１と下面部４８２からＹ１方向（前方）に突出しているのは、図８に示すように、医療従事者が操作レバー７２０を指で操作し易いようにするためである。
【００４１】
操作レバー７２０が筐体延長部４８０の上面部４８１と下面部４８２からＹ１方向（前方）に突出しているので、医療従事者が治療室や手術室においてシリンジポンプ１を使用する場合には、もし上述した保護壁部７６０が設けられていないと、次のような問題が生じる。医療従事者が、操作部としての操作レバー７２０に対して、作業中に手もしくは指を、図８に示す矢印Ｚ１方向に不用意に当ててしまって、操作レバー７２０が矢印ＢＢ方向に押し下げられてしまうおそれがある。あるいは、操作レバー７２０に対して、器具を、図８に示す矢印Ｚ１方向に不用意に当ててしまって、操作レバー７２０が矢印ＢＢ方向に押し下げられてしまうおそれがある。
しかし、本発明の実施形態では、このような操作レバー７２０の誤操作を防止するために、保護壁部７６０が、操作レバー７２０の上部において操作レバー７２０を覆うようにして、Ｙ１方向に沿って突出して形成されている。このことにより、この保護壁部７６０の存在により、手もしくは指あるいは器具は保護壁部７６０に当たるので、操作レバー７２０には当たらない。このため、操作レバー７２０の当たって押し下げられてしまって、シリンジ押子押圧部材１０が不用意に移動可能になってしまう状態になることを防止できる。
【００４２】
また、保護壁部７６０が、操作レバー７２０の上部を覆うようにしてＹ１方向に沿って突出して形成されている。医療従事者が治療室や手術室において使用している薬液や水分が、保護壁部７６０により直接受けることができるので、操作レバー７２０に不用意にかかってしまうのを防ぐことができる。
また、保護壁部７６０と操作部である操作レバー７２０の間には、間隔ＳＤが設けられているので、シリンジ押子押圧部材１０における操作レバー７２０の使用空間を確保でき、医療従事者は、操作レバー７２０を、この間隔ＳＤを利用して容易に操作することができる。
【００４３】
次に、図９（Ｃ）と図１１に示す押子フランジ検出部７３０について説明する。
図１２は、押子フランジ検出部７３０の構造例と一例としてシリンジ２００の押子フランジ２０５を示しており、図１２（Ａ）は、押子フランジ２０５がシリンジ押子押圧部材１０の当接面部８０に当接される前の状態を示し、図１２（Ｂ）は、押子フランジ２０５がシリンジ押子押圧部材１０の当接面部８０に当接された状態を示す。
この押子フランジ検出部７３０は、例えばシリンジ２００の押子フランジ２０５が当接面部８０に確実に当接されているかどうかを検出することで、シリンジ押子２０２がシリンジ押子押圧部材１０に対して固定されたことを、制御部１００に通知する機能を有する。
図１２に示す押子フランジ検出部７３０は、図３に示すシリンジ２００，３００，４００の押子フランジ２０５，３０６，４０５のいずれが固定されても押子フランジを検出することができる。図１２に示す例では、押子フランジ検出部７３０は、例えばシリンジ２００の押子フランジ２０５を検出する様子を代表して示している。
【００４４】
押子フランジ検出部７３０が、例えばシリンジ押子押圧部材１０の当接面部８０に対する押子フランジ２０５の固定を、制御部１００に対して電気的に通知することができる。これにより、この制御部１００は、例えばシリンジ押子が確実にシリンジ押子押圧部材１０に固定されていることを、表示部３に表示させることができる。また、制御部１００は、シリンジ押子がシリンジ押子押圧部１０に対して確実に当接して固定されていることを、例えばスピーカ１３１を通じて、医療従事者に対して音声で報知することができる。このため、医療従事者は、シリンジを正確に装着できたことを、表示部３を目視し、必要に応じてスピーカ１３１から音声により、確実に把握できる。
【００４５】
図８に示すように、押子フランジ検出部７３０は、移動部材７８１と、コイルスプリング７８２と、フォトカプラセンサ７８３と、液密部材７９０を有している。移動部材７８１とコイルスプリング７８２とフォトカプラセンサ７８３は、シリンジ押子押圧部材１０の内部に配置されている。移動部材７８１は、例えば金属あるいはプラスチック製の丸棒の部材であり、先端部７８１Ａは、例えば半球状に形成され、他端部７８１Ｂは、遮蔽板７８１Ｃを有している。移動部材７８１の先端部７８１Ａは、押子フランジ２０５の外面に突き当てるための部分である。
【００４６】
移動部材７８１の他端部７８１Ｂとシリンジ押子押圧部材１０の間には、コイルスプリング７８２が配置されている。これにより、移動部材７８１は、押子フランジ２０５が押し当てられると、図１２（Ａ）に示す進出位置から図１２（Ｂ）に示す後退位置まで、コイルスプリング７８２の力に抗してＷＲ方向に移動できる。先端部７８１Ａが半球状に形成されていることにより、移動部材７８１がＷＲ方向に移動しても、先端部７８１Ａは、押子フランジ２０５に対して円滑に突き当てることができる。
【００４７】
図１２（Ａ）に示すように、押子フランジ２０５が当接面部８０に当接されていない状態では、移動部材７８１はＷＲ方向には移動していないので、移動部材７８１の遮蔽板７８１Ｃは、フォトカプラセンサ７８３の発光素子７８３Ａと受光素子７８３Ｂとの間に入り込んでいない。このため、発光素子７８３Ａからの光は受光部７８３Ｂには受光される。
【００４８】
これに対して、図１２（Ｂ）に示すように、押子フランジ２０５が当接面部８０に当接されている状態では、移動部材７８１はコイルスプリング７８２の力に抗してＷＲ方向に移動している。このため、移動部材７８１の遮蔽板７８１Ｃは、フォトカプラセンサ７８３の発光素子７８３Ａと受光素子７８３Ｂとの間に入っていることから、発光素子７８３Ａの光は受光素子７８３Ｂに受光されない。図３に示すいずれの収容量のシリンジ２００，３００，４００の押子フランジ２０５，３０５，４０５が当接面部８０に当接されても、図１２（Ｂ）において、発光素子７８３Ａからの光は受光部７８３Ｂに受光されないので、受光部７８３Ｂは、受光信号ＲＳを制御部１００に送ることができるようになっている。
【００４９】
図１２（Ｂ）において、制御部１００は、この受光信号ＲＳを受けることにより、表示部３において、例えば「シリンジ押子２０２を正しく固定し、シリンジ２００を装着できたこと」を表示させる。この場合に、制御部１００は、必要に応じて、同時にスピーカ１３１により、「シリンジ押子２０２を正しく固定して、シリンジ２００を装着できたこと」を、音声ガイダンスしても良い。これにより、医療従事者は、シリンジ２００を正確に装着できたことを、情報表示と音声ガイダンスの少なくとも一方により確実に把握できる。
なお、図３に示す収容量の異なるシリンジ２００，３００，４００としては、最も収容量の小さいものは例えば２．０ｍＬのシリンジであり、最も収容量の大きいものは例えば５０ｍＬのシリンジである。
【００５０】
次に、図１２に示す液密部材７９０について説明する。
図１２に示すように、開口部７８９は、第１ケース部分７０１の壁部分に形成されている。この開口部７８９は、壁部分を貫通する断面円形状の穴である。液密部材７９０は、この開口部７８９内にはめ込んで固定されている。開口部７８９内には突起部７８９Ａが半径方向に向けて突出して形成されている。
液密部材７９０は、弾性変形可能な材質、例えばゴムやプラスチックにより作られているリング状の部材であり、例えばポリブタジエン系樹脂、ＡＢＳ樹脂、エチレンプロピレンゴム（ＥＰＤＭ）等を採用できる。開口部７８９の突起部７８９Ａに対してはめ込むことで取れないように固定されている。液密部材７９０は、第１部分７９１と、第２部分７９２と、第３部分７９３を有している。第１部分７９１は、壁部分の外面側に位置され、第２部分７９２は、壁部分の外面側に位置され、第３部分７９３は、第１部分７９１と第２部分７９２の間に位置されている。
【００５１】
第１部分７９１は、筒状の連結部分６６４を有している。移動部材７８１の先端部７８１Ａの途中部分の外周囲部には、凹部６２１Ｈが形成されている。この連結部分６６４は、先端部７８１Ａの凹部６２１Ｈにはめ込んで固定されている。すなわち、液密部材７９０の連結部分６６４は、開口部７８９に配置されており、移動部材７８１の外周囲部に連結されることで、移動部材７８１の外周囲部と開口部７８９の内周部との間を塞いで、しかも移動部材７８１の移動に伴って弾性変形することができる。第１部分７９１の連結部分６６４と第２部分７９２と第３部分７９３の貫通穴７９９の内周面は、移動部材７８１の外周囲部に密着している。
これにより、第１部分７９１の連結部分６６４は、開口部７８９を閉鎖している。したがって、薬液や水分が、シリンジ押子押圧部材１０の外側から、開口部７８９と移動部材７８１を通じて、シリンジ押子押圧部材１０の内部へ侵入するのを阻止している。
【００５２】
次に、本発明の実施形態のシリンジポンプ１の使用例を説明する。
医療従事者は、図３に示す複数種類のシリンジ２００，３００，４００の中から、例えば最も収容量の大きいシリンジ２００を選択して、図７に例示するように、シリンジ２００をシリンジポンプ１のシリンジ載置部６に設定し、押子フランジ２０５をシリンジ押子押圧部材１０の当接面部８０に突き当てて固定する場合を、以下に説明する。
図７と図８（Ｂ）に示すように、シリンジ本体２０１は、収容部８のシリンジ本体保持部８Ｄ内に収容するとともに、図２に示すようにチューブ２０３をチューブ固定部９内にはめ込んだ状態で、シリンジ本体２０１をシリンジ本体保持部８Ｄ内にクランプ５を用いて固定する。これにより、図７に示すように、シリンジ本体２０１は、収容部８のシリンジ本体保持部８Ｄ内に確実に固定できる。
【００５３】
しかも、本体シリンジ２０９の一部分は、右側側面部８Ｖと本体フランジ押さえ部材５００の間に挟まれた状態で、本体フランジ押さえ部材５００が弾性変形する際の反発力により、平坦な右側側面部８Ｖと本体フランジ押さえ部材５００との間に挟まれて把持される。これにより、シリンジ２００は、本体フランジ２０９を用いて確実に位置決めして把持することができる。図７に示すように、シリンジ本体２０１がシリンジ載置部６の収容部８のシリンジ本体保持部８Ｄ内に収容して装着されると、シリンジ押子２０２がシリンジ押子駆動部７内に配置される。
【００５４】
図８を参照すると、医療従事者が指で操作レバー７２０をＢＢ方向に押すと、操作レバー７２０は回転中心ＣＳＰを中心としてＢＢ方向に回転可能である。このように操作レバー７２０を回転操作することで、第１押子フランジ把持部材７１１と第２押子フランジ把持部材７１２を図９（Ｃ）に示すＯＰ方向に開くことができるとともに、医療従事者はシリンジ押子押圧部材１０を固定状態からＴ（Ｘ２）方向あるいはＸ１方向に移動可能な状態になる。
これにより、図１１に示すように、医療従事者は、シリンジ押子押圧部材１０を手でもってＴ（Ｘ２）方向に移動して、シリンジ押子押圧部材１０の当接面部８０を押子フランジ２０５の位置に合わせて押子フランジ２０５に当接する。そして、医療従事者が指を操作レバー７２０から離すと、第１押子フランジ把持部材７１１と第２押子フランジ把持部材７１２は図９（Ｃ）に示すＯＰ方向とは反対に閉じることで、当接面部８０に当接された押子フランジ２０５は、第１押子フランジ把持部材７１１と第２押子フランジ把持部材７１２と当接面部８０との間に挟んで固定できる。
【００５５】
図１２（Ａ）に示すように、押子フランジ２０５が当接面部８０に当接されていない状態では、移動部材７８１はＷＲ方向には移動していないので、移動部材７８１の遮蔽板７８１Ｃは、フォトカプラセンサ７８３の発光素子７８３Ａと受光素子７８３Ｂとの間に入り込んでいない。このため、発光素子７８３Ａからの光は受光部７８３Ｂに受光される。
そして、図１２（Ｂ）に示すように、押子フランジ２０５が当接面部８０に当接されると、移動部材７８１はコイルスプリング７８２の力に抗してＷＲ方向に移動する。このため、移動部材７８１の遮蔽板７８１Ｃは、フォトカプラセンサ７８３の発光素子７８３Ａと受光素子７８３Ｂとの間に入ることから、発光素子７８３Ａの光は受光素子７８３Ｂに受光されない。発光素子７８３Ａからの光は受光部７８３Ｂに受光されないので、受光部７８３Ｂは、受光信号ＲＳを制御部１００に送って、制御部１００に通知する。
【００５６】
その後、図４に示す制御部１００からの指令によりモータ１３３が駆動すると、このシリンジ押子押圧部材１０は、図２に示すシリンジ押子２０２の押子フランジ２０５を、シリンジ本体２０１に対して相対的にＴ方向に沿って少しずつ押す。これにより、シリンジ本体２０１内の薬液は、図２に示すチューブ２０３と留置針２０４を通じて、患者Ｐに対して高い精度で比較的長時間かけて送液することができる。
上述したように、図１２に示すように例えばシリンジ２００の押子フランジ２０５が、当接面部８０に押し当てられる度に、移動部材７８１がＷＲ方向に移動する。しかし、液密部材７９０は、移動部材７８１のこの移動に追従して弾性変形する。しかも、液密部材７９０は、開口部７８９と移動部材７８１と通じて薬液や水分が外部からシリンジ押子押圧部材１０内に侵入するのを阻止する。すなわち、薬液や水分が侵入するのを防止して薬液がシリンジ押子押圧部材１０内の要素に対して固着するのを阻止することができる。このため、薬液がシリンジ押子押圧部材１０の内の要素に対して固着するのを阻止してシリンジポンプ１の動作に悪影響を生じるのを防げる。シリンジポンプ１が動作不良を起こす等の問題を回避できる。
【００５７】
本発明の実施形態のシリンジポンプでは、操作部に手が不用意に触れたり器具が当たるのを防ぎ、操作部に薬液が落下して付着するのを防ぐことができる。すなわち、シリンジ押子押圧部材では、操作部の上部に保護壁部が設けられているので、保護壁部は、操作部に手が不用意に触れたり器具が当たるのを防ぎ、薬液が操作部に落下して付着するのを防ぐことができる。
【００５８】
本発明は、上記実施形態に限定されず、特許請求の範囲を逸脱しない範囲で種々の変更を行うことができる。
例えば、移動部材７８１の移動を検出する検出センサとしては、フォトカプラセンサ７８３のような光センサに代えて、他の種類のセンサ例えば移動部材７８１が機械的に接触することで移動部材７８１の移動を検出する機械式のセンサ等であっても良い。
上記実施形態の各構成は、その一部を省略したり、上記とは異なるように任意に組み合わせることができる。
【符号の説明】
【００５９】
１・・・シリンジポンプ、２・・・筐体（本体）、６・・・シリンジ載置部、８・・・収容部、８Ｄ・・・シリンジ本体保持部、２００，３００，４００・・・シリンジ、２０１，３０１，４０１・・・シリンジ本体部、２０２，３０２，４０２・・・シリンジ押子、２０５，３０５，４０５・・・押子フランジ、５００・・・本体フランジ押さえ部材、７２０・・・操作レバー（操作部）７３０・・・押子フランジ検出部、７６０・・・保護壁部、７８１・・・移動部材、７９０・・・液密部材、ＳＤ・・・間隔
【図１】
2013135753.tif 000003
【図２】
2013135753.tif 000004
【図３】
2013135753.tif 000005
【図４】
2013135753.tif 000006
【図５】
2013135753.tif 000007
【図６】
2013135753.tif 000008
【図７】
2013135753.tif 000009
【図８】
2013135753.tif 000010
【図９】
2013135753.tif 000011
【図１０】
2013135753.tif 000012
【図１１】
2013135753.tif 000013
【図１２】
2013135753.tif 000014